(57)【要約】【課題】コネクタに差し込みやすく、フレキシブルフラットケーブルの保護板で押さえられた端部に応力が集中することのないフレキシブルフラットケーブルの端部構造を提供する。【解決手段】フレキシブルフラットケーブル１の端部におけるコネクタ接点が設けられた部分の背面に第１の保護板２が貼着され、前記フレキシブルフラットケーブル１の前記第１の保護板２と同じ側に前記第１の保護板２と離間しかつ近接して第２の保護板３を貼着した。【選択図】図１
2007188804.tif 000002
【特許請求の範囲】
【請求項１】
フレキシブルフラットケーブルの端部のコネクタ接点が設けられた部分の背面に第１の保護板が貼着され、前記フレキシブルフラットケーブルの前記第１の保護板と同じ側に前記第１の保護板と離間しかつ近接して第２の保護板が貼着されていることを特徴とするフレキシブルフラットケーブルの端部構造。
【請求項２】
前記第２の保護板が前記の保護板より軟質の材料で形成され、または前記第１の保護板より薄く形成された請求項１のフレキシブルフラットケーブルの端部構造。
【請求項３】
フレキシブルフラットケーブルの端部のコネクタ接点が設けられた部分の背面に貼着された保護板にフレキシブルフラットケーブルの長手方向と直角方向に両端を残してスリットが形成されていることを特徴とするフレキシブルフラットケーブルの端部構造。
【発明の詳細な説明】
【技術分野】
【０００１】
この発明はフレキシブルフラットケーブルに係わり、特に、そのコネクタ接点が形成される端部構造に関する。
【背景技術】
【０００２】
従来のフレキシブルフラットケーブルの端部構造の例を図５〜図７により説明する。図５は従来のフレキシブルフラットケーブルの端部構造の使用状態を示す分解斜視図である。図５に示すフレキシブルフラットケーブル（ＦＦＣ）１は電子機器本体６とパネルアセンブリ７とを信号また電力を伝えるために用いるものであり、本明細書でフレキシブルフラットケーブルとは板状導体を平行に並べて絶縁体層で挟んだものおよび絶縁体層に板状導体を平行に並ぶように印刷したものすなわちフレキシブルプリントケーブル（ＦＰＣ）を総称している。
【０００３】
図５において、フレキシブルフラットケーブル１の一端は電子機器本体６内部の回路に接続されており、他端はコネクタ９を介してパネルアセンプリ７に接続される。そして、フレキシブルフラットケーブル１が接続されたコネクタ９は図６に示すパネル裏蓋８がパネルアセンプリ７に締着されることによりパネル裏蓋８で覆われる。
【０００４】
このようなフレキシブルフラットケーブル１のコネクタ９との接続部を保護するために保護板１０が貼着されている。図７（ａ）は図６におけるＡ−Ａ断面を示しており、図７（ｂ）はフレキシブルフラットケーブル１の接点１ａ、１ａ、…とコネクタ９の接点９ａ、９ａ…との接続状態を模式的に説明するものである。
【０００５】
すなわち、保護板１０の貼着されたフレキシブルフラットケーブル１はコネクタ９に差し込まれ、図示していないロック機構により矢印方向に押さえられフレキシブルフラットケーブル１の接点１ａ、１ａ、…とコネクタ９の接点９ａ、９ａ…とが圧接される。
【０００６】
上記した従来のフレキシブルフラットケーブルの端部構造では保護板１０の剛性が大きいため、曲げにくくコネクタ９に差し込みにくいという問題があった。また、フレキシブルフラットケーブル１の保護板１０で押さえられた端部に応力が集中してその部分でフレキシブルフラットケーブル１が断線しやすいという問題があった。
【０００７】
登録実用新案第３０１８０５４号公報に提案されたフラッケーブルはポリエステル樹脂補強板が張り付けられる基材層の先端部が略三角形状に先端が薄くなるように形成されている。このフラッケーブルは導体の基材層先端との接触部の応力集中が緩和されるが、基材層の補強板で押さえられた端部に応力が集中かるという問題があった。
【０００８】
登録実用新案第３０７５９００号公報に提案されたプリンタヘッドケーブル用フラットケーブルは平角導線１の両側にＰＥＴからなる絶縁テープ２ａ、２ｂを張り付け密着し一体化させ、両端部の導体を一定長露出し、絶縁テープの両端部と露出された平角導線１の上にポリエステル樹脂補強板３を張り付ける。このフラットケーブルは上記した図５〜図７で説明したフレキシブルフラットケーブルと同様に絶縁テープ２ａ、２ｂのポリエステル樹脂補強板３で押さえられた端部に応力が集中するという問題があった。
【特許文献１】登録実用新案第３０１８０５４号公報、段落００１２、図１
【特許文献２】登録実用新案第３０７５９００号公報、段落０００９、図１
【発明の開示】
【発明が解決しようとする課題】
【０００９】
この発明は上記した点に鑑みてなされたものであって、その目的とするところは、コネクタに差し込みやすく、フレキシブルフラットケーブルの保護板で押さえられた端部に応力が集中することのないフレキシブルフラットケーブルの端部構造を提供することにある。
【課題を解決するための手段】
【００１０】
この発明のフレキシブルフラットケーブルの端部構造は、フレキシブルフラットケーブルの端部のコネクタ接点が設けられた部分の背面に第１の保護板が貼着され、前記フレキシブルフラットケーブルの前記第１の保護板と同じ側に前記第１の保護板と離間しかつ近接して第２の保護板が貼着されているものである。
【００１１】
また、前記フレキシブルフラットケーブルの端部構造において、前記第２の保護板が前記の第１の保護板より軟質の材料で形成され、または前記第１の保護板より薄く形成されたものである。
【００１２】
さらに、この発明のフレキシブルフラットケーブルの端部構造は、フレキシブルフラットケーブルの端部のコネクタ接点が設けられた部分の背面に貼着された保護板にフレキシブルフラットケーブルの長手方向と直角方向に両端を残してスリットが形成されているものである。
【発明の効果】
【００１３】
この発明のフレキシブルフラットケーブルの端部構造によれば、フレキシブルフラットケーブルの端部をコネクタに差し込みやすく、フレキシブルフラットケーブルの保護板で押さえられた端部に応力が集中することがなくなり断線する恐れが少なくなる。
【発明を実施するための最良の形態】
【００１４】
以下この発明を実施するための最良の形態を実施例に即して説明する。
【実施例１】
【００１５】
図１にこの発明の実施例１であるフレキシブルフラットケーブルの端部構造を示す。この例では、フレキシブルフラットケーブル１の端部におけるコネクタ接点が設けられた部分の背面に第１の保護板２が貼着され、フレキシブルフラットケーブル１の第１の保護板２と同じ側に第１の保護板２と近接して第２の保護板３が貼着されている。
【００１６】
これらの第１の保護板２と第２の保護板３は同じ材質の同一の厚みの樹脂板で形成されているが、フレキシブルフラットケーブル１の第１の保護板２と第２の保護板３とが貼着された部分の間に保護板が貼着されていない部分があるため、その部分で図２（ａ）の矢印で示す方向に曲げやすくなる。
【００１７】
そのため、図２（ｂ）に示すように、パネルアセンブリ７の凹部に設けられたコネクタ９に第１の保護板２が貼着されコネクタ接点が設けられた部分を差し込みやすい。そして、第１の保護板２および第２の保護板３に無理な力が加わらないため、フレキシブルフラットケーブル１の第１の保護板２および第２の保護板３で押さえられた端部に応力が集中してその部分でフレキシブルフラットケーブル１が断線する恐れが少なくなる。
【実施例２】
【００１８】
図３（ａ）は実施例２であるフレキシブルフラットケーブル１の端部構造を状態を示す斜視図である。この例では、フレキシブルフラットケーブル１の端部におけるコネクタ接点が設けられた部分の背面に第１の保護板２が貼着され、フレキシブルフラットケーブル１の第１の保護板２と同じ側に第１の保護板２と近接して第２の保護板４が貼着されている。
【００１９】
第２の保護板４は第１の保護板２より軟質の樹脂板で形成されている。この例では第１の保護板２が硬質の材料で形成されているためにコネクタに差し込みやすく。しかも第２の保護板４が軟質であるため、図２（ｂ）に示すように、パネルアセンブリ７に締着されたパネル裏蓋８で第２の保護板４が押さえられても第２の保護板４が変形しやすく、第２の保護板４で押さえられたフレキシブルフラットケーブル１の端部の応力集中が第１の実施例１よりも小さくなる。なお、第２の保護板４を第１の保護板２と同じ材質として厚みを薄くしても上記実施例２と同様の効果が得られる。
【実施例３】
【００２０】
図４（ａ）はこの発明の実施例３であるフレキシブルフラットケーブルを示す斜視図である。この例ではフレキシブルフラットケーブル１の端部におけるコネクタ接点が設けられた部分の背面に貼着された保護板５にフレキシブルフラットケーブルの長手方向と直角方向に両端を残してスリット５ａが形成されている。
【００２１】
図４に実施例１のフレキシブルフラットケーブルの端部構造を比較して示しているが、実施例１のフレキシブルフラットケーブルの端部構造ではフレキシブルフラットケーブル１の保護板２および３で押さえられた図示矢印Ｓで示す両側の部分でストレスが掛かることがなく、この部分でフレキシブルフラットケーブル１が破損する恐れがさらに少なくなる。
【図面の簡単な説明】
【００２２】
【図１】この発明の実施例１であるフレキシブルフラットケーブルの端部構造を示す斜視図である。
【図２】図２（ａ）は同フレキシブルフラットケーブルの端部構造の１の状態を示す斜視図、図２（ｂ）は同フレキシブルフラットケーブルの端部構造の他の状態を示す断面図である。
【図３】図３（ａ）はこの発明の実施例２であるフレキシブルフラットケーブルの１の状態を示す斜視図、図３（ｂ）は同フレキシブルフラットケーブルの端部構造の他の状態を示す斜視図である。
【図４】図４（ａ）はこの発明の実施例３であるフレキシブルフラットケーブルを示す斜視図、図４（ｂ）は実施例３のフレキシブルフラットケーブルの端部構造と比較するための実施例１のフレキシブルフラットケーブルの端部構造を示す斜視図である。
【図５】従来のフレキシブルフラットケーブルの端部構造の使用状態を示す分解斜視図である。
【図６】同フレキシブルフラットケーブルの端部構造の使用状態を示す斜視図である。
【図７】図７（ａ）は図６におけるＡ−Ａ断面図、図７（ｂ）は同フレキシブルフラットケーブルの端部構造のコネクタ接点の状態を模式的に示す部分断面図である。
【符号の説明】
【００２３】
１  フレキシブルフラットケーブル、１ａ  接点
２  第１の保護板
３  第２の保護板
４  第２の保護板
５  保護板、５ａ  スリット
６  電子機器本体
７  パネルアセンブリ
８  パネル裏蓋
９  コネクタ、９ａ  接点
１０  保護板
【図１】
2007188804.tif 000003
【図２】
2007188804.tif 000004
【図３】
2007188804.tif 000005
【図４】
2007188804.tif 000006
【図５】
2007188804.tif 000007
【図６】
2007188804.tif 000008
【図７】
2007188804.tif 000009